(57)【特許請求の範囲】
【請求項１】
情報を伝達するための方法であって、
ユーザ機器により、Ｄ２Ｄ通信における他のユーザ機器からの信号のタイミング調整量が決定されるステップと、
前記ユーザ機器により、前記タイミング調整量に従って、時間ウィンドウが調整されるステップと、
前記ユーザ機器により、調整された時間ウィンドウを使用して、前記信号が受信されるステップと
を有し、
ユーザ機器により、信号のタイミング調整量が決定される前記ステップが、
前記ユーザ機器により、受信したスケジュール割り当て信号を使用して、前記タイミング調整量の指示Ｎが取得され、前記Ｎ及び式Ｔ１＝Ｎ＊Ｄに従って、第１タイミング調整量Ｔ１が決定されるステップであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、ｍｓはミリ秒を表す、ステップと、
前記ユーザ機器により、基地局によって送信されたシステム情報ブロック信号を使用して、前記タイミング調整量の指示Ｍが取得され、前記Ｍ及び式Ｔ２＝Ｍ＊Ｄに従って、第１タイミング調整量Ｔ２が決定されるステップであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、ｍｓはミリ秒を表す、ステップと、
（Ｔ２−Ｔ１）≦Ｔ＿ｃｐ＊αである場合、Ｔ２が前記信号の前記タイミング調整量であることが決定されるステップであって、ここで、Ｔ＿ｃｐは、システムサイクリックプレフィックスの長さであり、αの値は、０．２、０．４、０．６、０．８、又は１である、ステップと、
（Ｔ２−Ｔ１）＞Ｔ＿ｃｐ＊αである場合、Ｔ１が前記信号の前記タイミング調整量であることが決定されるステップであって、ここで、Ｔ＿ｃｐは、システムサイクリックプレフィックスの長さであり、αの値は、０．２、０．４、０．６、０．８、又は１である、ステップと
を含む、方法。
【請求項２】
ユーザ機器により、信号のタイミング調整量が決定される前記ステップが、
前記ユーザ機器により、前記タイミング調整量の指示Ｎが決定されるステップと、
前記ユーザ機器により、少なくとも前記Ｎに従って、前記タイミング調整量が決定されるステップと
を含み、
前記ユーザ機器により、前記タイミング調整量の指示Ｎが決定される前記ステップが、
前記ユーザ機器により、前記他のユーザ機器から受信したスケジュール割り当て信号を使用して、前記タイミング調整量の前記指示Ｎが取得されるステップを含み、
前記指示Ｎは、前記他のユーザ機器により、前記Ｔ１及び式Ｎ＝ｆ（Ｔ１／Ｄ）に従って、決定され、
ここで、ｆ（）は、切り上げ又は切り捨てを表し、
Ｄの値は、１Ｔｓ、２Ｔｓ、４Ｔｓ、８Ｔｓ、１６Ｔｓ、２４Ｔｓ、又は３２Ｔｓのうちのいずれか一つであり、
１Ｔｓ＝１ｍｓ／３０７２０であり、
ｍｓはミリ秒を表す、請求項１に記載の方法。
【請求項３】
Ｄ２Ｄ通信における他のユーザ機器からの信号のタイミング調整量を決定するように構成された決定モジュールと、
前記決定モジュールによって決定された前記タイミング調整量に従って、時間ウィンドウを調整するように構成された調整モジュールと、
前記調整モジュールによって調整された時間ウィンドウを使用して、前記信号を受信するように構成された受信モジュールと
を具備し、
前記決定モジュールが、
受信したスケジュール割り当て信号を使用して、前記タイミング調整量の前記指示Ｎを取得し、前記Ｎ及び式Ｔ１＝Ｎ＊Ｄに従って、第１タイミング調整量Ｔ１を決定するように構成された第１決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、ｍｓはミリ秒を表す、第１決定ユニットと、
基地局によって送信されたシステム情報ブロック信号を使用して、前記タイミング調整量の指示Ｍを取得し、前記Ｍ及び式Ｔ２＝Ｍ＊Ｄに従って、第１タイミング調整量Ｔ２を決定するように構成された第２決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、ｍｓはミリ秒を表す、第２決定ユニットと、
（Ｔ２−Ｔ１）≦Ｔ＿ｃｐ＊αである場合、Ｔ２が前記信号の前記タイミング調整量であると決定し、（Ｔ２−Ｔ１）＞Ｔ＿ｃｐ＊αである場合、Ｔ１が前記信号の前記タイミング調整量であると決定するように構成された第３決定ユニットであって、ここで、Ｔ＿ｃｐは、システムサイクリックプレフィックスの長さであり、αの値は、０．２、０．４、０．６、０．８、又は１である、第３決定ユニットと
を含む、ユーザ機器。
【請求項４】
前記タイミング調整量が、前記タイミング調整量の指示Ｎが決定された後に、少なくとも前記Ｎに従って、前記決定モジュールによって決定され、
前記タイミング調整量の前記指示Ｎが、前記他のユーザ機器から受信したスケジュール割り当て信号を使用して、前記決定モジュールによって取得され、
前記指示Ｎは、前記他のユーザ機器により、前記Ｔ１及び式Ｎ＝ｆ（Ｔ１／Ｄ）に従って、決定され、
ここで、ｆ（）は、切り上げ又は切り捨てを表し、
Ｄの値は、１Ｔｓ、２Ｔｓ、４Ｔｓ、８Ｔｓ、１６Ｔｓ、２４Ｔｓ、又は３２Ｔｓのうちのいずれか一つであり、
１Ｔｓ＝１ｍｓ／３０７２０であり、
ｍｓはミリ秒を表す、請求項３に記載のユーザ機器。
【発明の詳細な説明】
【技術分野】
【０００１】
本発明の態様は、通信の分野に関し、より詳細には、情報を伝達するための方法、基地局、及びユーザ機器に関する。
【背景技術】
【０００２】
ユーザ機器（Ｕｓｅｒ  Ｅｑｕｉｐｍｅｎｔ，ＵＥ）間のデバイス・ツー・デバイス・プロキシミティ・サービス（Ｄｅｖｉｃｅ  ｔｏ  Ｄｅｖｉｃｅ  Ｐｒｏｘｉｍｉｔｙ  Ｓｅｒｖｉｃｅ，Ｄ２Ｄ  ＰｒｏＳｅ）が、ロングタームエボリューション（Ｌｏｎｇ  Ｔｅｒｍ  Ｅｖｏｌｕｔｉｏｎ，ＬＴＥ）システムに対する注目の話題となっている。
【０００３】
現在のところ、Ｄ２Ｄ  ＰｒｏＳｅにおいては、送信端によって送信された信号を受信端が正しく受信できることを保証するために、送信端が信号を送信する際のタイミングアドバンス（ｔｉｍｉｎｇ  ａｄｖａｎｃｅ）の提供が必要とされる。既存のタイミングアドバンスは、一般に、拡張サイクリックプレフィックス（Ｅｘｔｅｎｄｅｄ  Ｃｙｃｌｉｃ  Ｐｒｅｆｉｘ）の長さの整数倍（例えば、１、２、又はＮ、ここで、Ｎは２を超える正の整数）である。使用されるタイミングアドバンスが１つの拡張サイクリックプレフィックスの長さ（例えば、６ビット）であるとすると、これら６つのビットはすべてゼロとなって、不必要な資源浪費をもたらすこととなる。
【発明の概要】
【課題を解決するための手段】
【０００４】
本発明の態様は、情報を伝達するための方法、基地局、及びユーザ機器を提供する。これらは、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号がより有用な情報を持つよう、適切な長さのタイミングアドバンスを提供でき、それによって、不必要な資源浪費を回避するものである。
【０００５】
第１態様によれば、情報を伝達するための方法が提供され、方法は、
基地局により、タイミング調整量の指示が決定されるステップと、
基地局により、指示がユーザ機器に転送されるステップとを含む。
【０００６】
第１態様を参照する、第１態様の第１実施可能手法において、基地局により、指示がユーザ機器に転送されるステップは、基地局により、システム情報ブロック信号を使用して、指示が転送されるステップを含む。
【０００７】
第２態様によれば、情報を伝達するための方法が提供され、方法は、
ユーザ機器により、信号が送信されるよりも前に、信号のタイミングアドバンスＴが決定されるステップと、
ユーザ機器により、少なくともＴに従って、タイミング調整量の指示Ｎが決定されるステップと、
ユーザ機器により、Ｎを搬送するスケジュール割り当て信号が送信されるステップとを含む。
【０００８】
第２態様を参照する、第２態様の第１実施可能手法において、ユーザ機器により、少なくともＴに従って、タイミング調整量の指示Ｎが決定されるステップは、ユーザ機器により、Ｔ及び式Ｎ＝ｆ（Ｔ／Ｄ）に従って、Ｎが決定されるステップを含み、ここで、ｆ（）は、切り上げ又は切り捨てを表し、かつＤの値は、１Ｔｓ、２Ｔｓ、４Ｔｓ、８Ｔｓ、１６Ｔｓ、２４Ｔｓ、又は３２Ｔｓのうちのいずれか一つであり、ここで、１Ｔｓ＝１ｍｓ／３０７２０であり、かつｍｓはミリ秒を表す。
【０００９】
第２態様又は第２態様の第１実施可能手法を参照する、第２態様の第２実施可能手法において、方法は、ユーザ機器により、信号が送信されるステップをさらに含む。
【００１０】
第２態様又は第２態様の第１実施可能手法又は第２態様の第２実施可能手法を参照する、第２態様の第３実施可能手法において、ユーザ機器により、信号が送信されるよりも前に、信号のタイミングアドバンスＴが決定されるステップは、ユーザ機器により、基地局によって送信されたタイミング調整量信号に従って、Ｔが決定されるステップを含む。
【００１１】
第３態様によれば、情報を伝達するための方法が提供され、方法は、
ユーザ機器により、信号のタイミング調整量が決定されるステップと、
ユーザ機器により、タイミング調整量に従って、時間ウィンドウが調整されるステップと、
ユーザ機器により、調整された時間ウィンドウを使用して、信号が受信されるステップとを含む。
【００１２】
第３態様を参照する、第３態様の第１実施可能手法において、ユーザ機器により、信号のタイミング調整量が決定されるステップは、
ユーザ機器により、タイミング調整量の指示Ｎが決定されるステップと、
ユーザ機器により、少なくともＮに従って、タイミング調整量が決定されるステップと
を含む。
【００１３】
第３態様又は第３態様の第１実施可能手法を参照する、第３態様の第２実施可能手法において、ユーザ機器により、少なくともＮに従って、タイミング調整量が決定されるステップは、Ｎ及び式Ｔ＝Ｎ＊Ｄに従って、タイミング調整量が決定されるステップを含み、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。
【００１４】
第３態様又は第３態様の第１実施可能手法又は第３態様の第２実施可能手法を参照する、第３態様の第３実施可能手法において、ユーザ機器により、タイミング調整量の指示Ｎが決定されるステップは、ユーザ機器により、受信したスケジュール割り当て信号を使用して、タイミング調整量の指示Ｎが取得されるステップを含む。
【００１５】
第３態様又は第３態様の第１実施可能手法又は第３態様の第２実施可能手法又は第３態様の第３実施可能手法を参照する、第３態様の第４実施可能手法において、ユーザ機器により、タイミング調整量の指示Ｎが決定されるステップは、ユーザ機器により、基地局によって送信されたシステム情報ブロック信号を使用して、タイミング調整量の指示Ｍが取得され、タイミング調整量の指示Ｍがタイミング調整量の指示Ｎであることが決定されるステップを含む。
【００１６】
第３態様又は第３態様の第１ないし第４実施可能手法のいずれかの実施可能手法を参照する、第３態様の第５実施可能手法において、ユーザ機器により、信号のタイミング調整量が決定されるステップは、
ユーザ機器により、受信したスケジュール割り当て信号を使用して、タイミング調整量の指示Ｎが取得され、Ｎ及び式Ｔ１＝Ｎ＊Ｄに従って、第１タイミング調整量Ｔ１が決定されるステップであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、ステップと、
ユーザ機器により、基地局によって送信されたシステム情報ブロック信号を使用して、タイミング調整量の指示Ｍが取得され、Ｍ及び式Ｔ２＝Ｍ＊Ｄに従って、第１タイミング調整量Ｔ２が決定されるステップであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、ステップと、
（Ｔ２−Ｔ１）≦Ｔ＿ｃｐ＊αである場合、Ｔ２が信号のタイミング調整量であることが決定されるステップであって、ここで、Ｔ＿ｃｐは、システムサイクリックプレフィックスの長さであり、かつαの値は、０．２、０．４、０．６、０．８、又は１である、ステップと、
（Ｔ２−Ｔ１）＞Ｔ＿ｃｐ＊αである場合、Ｔ１が信号のタイミング調整量であることが決定されるステップであって、ここで、Ｔ＿ｃｐは、システムサイクリックプレフィックスの長さであり、かつαの値は、０．２、０．４、０．６、０．８、又は１である、ステップとを含む。
【００１７】
第４態様によれば、基地局が提供され、基地局は、
タイミング調整量の指示を決定するように構成された決定モジュールと、
指示をユーザ機器に転送するように構成された転送モジュールとを含む。
【００１８】
第４態様を参照する、第４態様の第１実施可能手法において、転送モジュールは、システム情報ブロック信号を使用して、指示を転送する。
【００１９】
第５態様によれば、ユーザ機器が提供され、ユーザ機器は、
ユーザ機器が信号を送信するよりも前に、信号のタイミングアドバンスＴを決定するように構成された第１決定モジュールと、
少なくともＴに従って、タイミング調整量の指示Ｎを決定するように構成された第２決定モジュールと、
Ｎを搬送するスケジュール割り当て信号を送信するように構成された送信モジュールとを含む。
【００２０】
第５態様を参照する、第５態様の第１実施可能手法において、第２決定モジュールは、Ｔ及び式Ｎ＝ｆ（Ｔ／Ｄ）に従って、Ｎを決定するように特に構成され、ここで、ｆ（）は、切り上げ又は切り捨てを表し、かつＤの値は、１Ｔｓ、２Ｔｓ、４Ｔｓ、８Ｔｓ、１６Ｔｓ、２４Ｔｓ、又は３２Ｔｓのうちのいずれか一つであり、ここで、１Ｔｓ＝１ｍｓ／３０７２０であり、かつｍｓはミリ秒を表す。
【００２１】
第５態様又は第５態様の第１実施可能手法を参照する、第５態様の第２実施可能手法において、送信モジュールは、信号を送信するようにさらに構成される。
【００２２】
第５態様又は第５態様の第１及び第２実施可能手法のいずれかの実施可能手法を参照する、第５態様の第３実施可能手法において、第１決定モジュールは、基地局によって送信されたタイミング調整量信号に従って、Ｔを決定するように特に構成される。
【００２３】
第６態様によれば、ユーザ機器が提供され、ユーザ機器は、
信号のタイミング調整量を決定するように構成された決定モジュールと、
決定モジュールによって決定されたタイミング調整量に従って、時間ウィンドウを調整するように構成された調整モジュールと、
調整モジュールによって調整された時間ウィンドウを使用して、信号を受信するように構成された受信モジュールとを含む。
【００２４】
第６態様を参照する、第６態様の第１実施可能手法において、タイミング調整量は、タイミング調整量の指示Ｎが決定された後に、少なくともＮに従って、決定モジュールによって決定される。
【００２５】
第６態様又は第６態様の第１実施可能手法を参照する、第６態様の第２実施可能手法において、タイミング調整量の指示Ｎは、受信したスケジュール割り当て信号を使用して、決定モジュールによって取得される。
【００２６】
第６態様又は第６態様の第１実施可能手法又は第６態様の第２実施可能手法を参照する、第６態様の第３実施可能手法において、タイミング調整量の指示Ｎは、決定モジュールが、基地局によって送信されたシステム情報ブロック信号を使用して、タイミング調整量の指示Ｍを取得し、タイミング調整量の指示Ｍがタイミング調整量の指示Ｎであると決定した後に、取得される。
【００２７】
第６態様又は第６態様の第１ないし第３実施可能手法のいずれかの実施可能手法を参照する、第６態様の第４実施可能手法において、決定モジュールは、
受信したスケジュール割り当て信号を使用して、タイミング調整量の指示Ｎを取得し、Ｎ及び式Ｔ１＝Ｎ＊Ｄに従って、第１タイミング調整量Ｔ１を決定するように構成された第１決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、第１決定ユニットと、
基地局によって送信されたシステム情報ブロック信号を使用して、タイミング調整量の指示Ｍを取得し、Ｍ及び式Ｔ２＝Ｍ＊Ｄに従って、第１タイミング調整量Ｔ２を決定するように構成された第２決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、第２決定ユニットと、
（Ｔ２−Ｔ１）≦Ｔ＿ｃｐ＊αである場合、Ｔ２が信号のタイミング調整量であると決定し、（Ｔ２−Ｔ１）＞Ｔ＿ｃｐ＊αである場合、Ｔ１が信号のタイミング調整量であると決定するように構成された第３決定ユニットであって、ここで、Ｔ＿ｃｐは、システムサイクリックプレフィックスの長さであり、かつαの値は、０．２、０．４、０．６、０．８、又は１である、第３決定ユニットとを含む。
【発明の効果】
【００２８】
したがって、本発明の態様における情報を伝達するための方法、基地局、及びユーザ機器によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００２９】
本発明の態様の技術的解決策をより明瞭に例示するために、実施形態又は従来技術を記述するために必要な添付の図面について簡単に説明する。当然ながら、以下に記載する添付の図面は、本発明のいくつかの実施形態を示すものに過ぎず、当技術分野における通常の知識を有する者は、創造的な労力無しに、これら添付の図面から別の図面をさらに得ることができよう。
【図面の簡単な説明】
【００３０】
【図１】本発明の一実施形態による情報を伝達するための方法の概略図である。
【図２】本発明の一実施形態による情報を伝達するための別の方法の概略図である。
【図３】本発明の一実施形態による情報を伝達するための別の方法の概略図である。
【図４】本発明の一実施形態による基地局の概略的な構成図である。
【図５】本発明の一実施形態によるユーザ機器の概略的な構成図である。
【図６】本発明の一実施形態による別のユーザ機器の概略的な構成図である。
【図７】本発明の一実施形態による基地局の概略的な構成図である。
【図８】本発明の一実施形態によるユーザ機器の概略的な構成図である。
【図９】本発明の一実施形態による別のユーザ機器の概略的な構成図である。
【発明を実施するための形態】
【００３１】
以下、本発明の実施形態の添付の図面を参照して、本発明の実施形態の技術的解決策を明瞭にかつ十分に説明する。当然ながら、記載される実施形態は、本発明の実施形態のうちのいくつかに過ぎず、そのすべてではない。当技術分野における通常の知識を有する者によって、本発明の実施形態に基づいて、創造的な労力無しに得られる他のすべての実施形態は、本発明の保護範囲内に包含される。
【００３２】
本発明の技術的解決策は、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ（登録商標））システム、汎用パケット無線システム（Ｇｅｎｅｒａｌ  Ｐａｃｋｅｔ  Ｒａｄｉｏ  Ｓｅｒｖｉｃｅ，ＧＰＲＳ）システム、ＬＴＥシステム、ＬＴＥ−Ａｄｖａｎｃｅｄ（Ａｄｖａｎｃｅｄ  Ｌｏｎｇ  Ｔｅｒｍ  Ｅｖｏｌｕｔｉｏｎ）システム、及びＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のような、さまざまな通信システムに適用されてよい、ということを理解されたい。
【００３３】
本発明の実施形態において、ユーザ機器（ＵＥ）は、これらに限定されないが、移動局（Ｍｏｂｉｌｅ  Ｓｔａｔｉｏｎ，ＭＳ）、移動端末（Ｍｏｂｉｌｅ  Ｔｅｒｍｉｎａｌ）、移動電話（Ｍｏｂｉｌｅ  Ｐｈｏｎｅ）、ハンドセット（ｈａｎｄｓｅｔ）、携帯用機器（ｐｏｒｔａｂｌｅ  ｅｑｕｉｐｍｅｎｔ）などを含む、ということを理解されたい。ユーザ機器は、無線アクセスネットワーク（Ｒａｄｉｏ  Ａｃｃｅｓｓ  Ｎｅｔｗｏｒｋ，ＲＡＮ）を使用して、１つ以上のコアネットワークとの通信を行い得る。例えば、ユーザ機器は、移動電話（「セルラー（ｃｅｌｌｕｌａｒ）」フォンとも称される）、又はワイヤレス通信機能を備えたコンピュータであってよく、また、ユーザ機器は、携帯用の、ポケットサイズの、ハンドヘルドの、コンピュータ一体型の、又は車載型の移動装置であってもよい。
【００３４】
本発明の実施形態において、基地局は、ＧＳＭ（登録商標）又はＣＤＭＡにおける基地送受信局（Ｂａｓｅ  Ｔｒａｎｓｃｅｉｖｅｒ  Ｓｔａｔｉｏｎ，ＢＴＳ）であってよく、ＷＣＤＭＡ（登録商標）におけるＮｏｄｅＢであってもよく、又はＬＴＥにおけるｅ−ＮｏｄｅＢ（ｅｖｏｌｖｅｄ  ＮｏｄｅＢ，ｅＮＢ）であってもよく、本発明の実施形態に限定されない。
【００３５】
本発明の実施形態の技術的解決策におけるユーザ機器は、Ｄ２Ｄ通信機能を有し、換言すれば、２つのユーザ機器は、互いにＤ２Ｄ通信を実行できる、ということを理解されたい。
【００３６】
図１は、情報を伝達するための方法１００を示す。方法１００は、例えば、基地局によって実行されてよい。図２に示されるように、方法１００は、以下のステップを含む。
【００３７】
ステップＳ１１０において、基地局は、タイミング調整量の指示（Ｔｉｍｉｎｇ  Ａｄｊｕｓｔｍｅｎｔ，ＴＡ）を決定する。
【００３８】
ステップＳ１２０において、基地局は、指示をユーザ機器に転送する。
【００３９】
基地局により、指示がユーザ機器に転送される動作は、システム情報ブロック（Ｓｙｓｔｅｍ  Ｉｎｆｏｒｍａｔｉｏｎ  Ｂｌｏｃｋ，ＳＩＢ）信号を使用して、基地局により、指示が転送される動作を含む。
【００４０】
タイミング調整量の指示を表すためにＭが使用されてよいが、これは、明細書中での説明を容易にするために過ぎず、限定とはならない、ということに留意されたい。
【００４１】
したがって、本発明のこの実施形態で提供される情報を伝達するための方法によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００４２】
上記のプロセスに付された順序番号は、本発明のさまざまな実施形態における実行順序を意味しない、ということを理解されたい。プロセスの実行順序は、プロセスの機能及び内部ロジックに従って決定されるべきものであり、本発明の実施形態の実装プロセスに何らかの限定を加えるものとして解釈してはならない。
【００４３】
図１を参照すると、本発明のこの実施形態による情報を伝達するための方法は、基地局の視点から、上記の通り詳細に説明されている。図２及び図４を参照すると、本発明の一実施形態による情報を伝達するための方法は、ユーザ機器の視点から、以下の通り説明される。図２では、ユーザ機器は、送信端として説明されており、一方、図３では、ユーザ機器は、受信端として説明されている。ユーザ機器は、送信端と受信端とのいずれにもなり得る、ということに留意されたい。
【００４４】
図２に示されるように、本発明の一実施形態で提供される情報を伝達するための方法２００によれば、方法２００は、以下のステップを含む。
【００４５】
ステップＳ２１０において、ユーザ機器は、信号を送信するよりも前に、信号のタイミングアドバンス（Ｔｉｍｉｎｇ  Ａｄｖａｎｃｅ，ＴＡ）Ｔを決定する。
【００４６】
ステップＳ２２０において、ユーザ機器は、少なくともＴに従ってタイミング調整量（Ｔｉｍｉｎｇ  Ａｄｊｕｓｔｍｅｎｔ，ＴＡ）の指示Ｎを決定する。
【００４７】
ステップＳ２３０において、ユーザ機器は、Ｎを搬送するスケジュール割り当て（Ｓｃｈｅｄｕｌｉｎｇ  Ａｓｓｉｇｎｍｅｎｔ，ＳＡ）信号を送信する。
【００４８】
明細書中では、タイミング調整量を表すためにＴが使用されてよく、かつタイミング調整量の指示を表すためにＮが使用されてよいが、これは、明細書中での説明を容易にするために過ぎず、限定とはならない、ということに留意されたい。
【００４９】
選択的に、ユーザ機器により、少なくともＴに従ってタイミング調整量の指示Ｎが決定される動作は、ユーザ機器により、Ｔ及び式Ｎ＝ｆ（Ｔ／Ｄ）に従ってＮが決定される動作を含み、ここで、ｆ（）は、切り上げ又は切り捨てを表し、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。さらに、Ｔ／Ｄは、ＴをＤで割って得られる値を表す。
【００５０】
選択的に、ステップＳ２３０の後に、方法は、以下のステップをさらに含む。
【００５１】
ユーザ機器は、信号を送信する。
【００５２】
選択的に、ユーザ機器により、信号を送信するよりも前に、信号のタイミングアドバンスＴが決定される動作は、ユーザ機器により、基地局の送信したタイミング調整量信号に従ってＴを決定する動作を含む。
【００５３】
上記の信号は、これに限定されないが、Ｄ２Ｄ通信に伴う信号、例えば、ディスカバリ信号を含む、ということに留意されたい。
【００５４】
したがって、本発明のこの実施形態で提供される情報を伝達するための方法によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００５５】
図３に示されるように、本発明の一実施形態で提供される情報を伝達するための方法３００によれば、方法３００は、以下のステップを含む。
【００５６】
ステップＳ３１０において、ユーザ機器は、信号のタイミング調整量（Ｔｉｍｉｎｇ  Ａｄｊｕｓｔｍｅｎｔ，ＴＡ）を決定する。
【００５７】
ステップＳ３２０において、ユーザ機器は、タイミング調整量に従って時間ウィンドウを調整する。
【００５８】
ステップＳ３３０において、ユーザ機器は、調整された時間ウィンドウを使用して信号を受信する。
【００５９】
選択的に、ユーザ機器により、信号のタイミング調整量が決定される動作は、
ユーザ機器により、タイミング調整量の指示Ｎが決定される動作と、
ユーザ機器により、少なくともＮに従ってタイミング調整量が決定される動作とを含む。
【００６０】
選択的に、ユーザ機器により、少なくともＮに従ってタイミング調整量が決定される動作は、ユーザ機器により、Ｎ及び式Ｔ＝Ｎ＊Ｄに従ってタイミング調整量が決定される動作を含み、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。ここで、Ｎ＊Ｄは、ＮにＤを掛け合せることを指す。
【００６１】
選択的に、ユーザ機器により、タイミング調整量の指示Ｎが決定される動作は、ユーザ機器により、受信したスケジュール割り当て（Ｓｃｈｅｄｕｌｉｎｇ  Ａｓｓｉｇｎｍｅｎｔ，ＳＡ）信号を使用してタイミング調整量の指示Ｎが取得される動作を含む。ここで、ユーザ機器によって受信されたスケジュール割り当て信号は、ユーザ機器がＤ２Ｄ通信を実行する他のユーザ機器によって送信されてよい。
【００６２】
選択的に、ユーザ機器により、タイミング調整量の指示Ｎが決定される動作は、ユーザ機器により、基地局の送信したシステム情報ブロック（Ｓｙｓｔｅｍ  Ｉｎｆｏｒｍａｔｉｏｎ  Ｂｌｏｃｋ，ＳＩＢ）信号を使用してタイミング調整量の指示Ｍが取得され、タイミング調整量の指示Ｍがタイミング調整量の指示Ｎであると決定される動作を含む。
【００６３】
選択的に、ユーザ機器により、信号のタイミング調整量が決定される動作は、
ユーザ機器により、受信したスケジュール割り当て信号を使用してタイミング調整量の指示Ｎが取得され、ユーザ機器により、Ｎ及び式Ｔ１＝Ｎ＊Ｄに従って第１タイミング調整量Ｔ１が決定される動作であって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表し、Ｎ＊Ｄは、ＮにＤを掛け合せることを指す、動作と、
ユーザ機器により、基地局の送信したシステム情報ブロック信号を使用してタイミング調整量の指示Ｍが取得され、ユーザ機器により、Ｍ及び式Ｔ２＝Ｍ＊Ｄに従って第１タイミング調整量Ｔ２が決定される動作であって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、動作と、
（Ｔ２−Ｔ１）≦Ｔ＿ｃｐ＊αである場合、Ｔ２が信号のタイミング調整量であることが決定される動作であって、ここで、Ｔ＿ｃｐは、システムサイクリックプレフィックスの長さであり、αの値は、０．２、０．４、０．６、０．８、又は１である、動作と、
（Ｔ２−Ｔ１）＞Ｔ＿ｃｐ＊αである場合、Ｔ１が信号のタイミング調整量であることが決定される動作であって、ここで、Ｔ＿ｃｐは、システムサイクリックプレフィックスの長さであり、αの値は、０．２、０．４、０．６、０．８、又は１である、動作とを含む。
【００６４】
１つのタイミング調整量は、１つ以上の信号に適用可能であってよく、明細書中の記載に限定されない、ということに留意されたい。
【００６５】
明細書中では、タイミング調整量を表すためにＴが使用されてよく、かつタイミング調整量の指示を表すためにＮが使用されてよいが、これは、明細書中での説明を容易にするために過ぎず、限定とはならない、ということに留意されたい。
【００６６】
したがって、本発明のこの実施形態で提供される情報を伝達するための方法によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００６７】
上記のプロセスに付された順序番号は、本発明のさまざまな実施形態における実行順序を意味しない、ということを理解されたい。プロセスの実行順序は、プロセスの機能及び内部ロジックに従って決定されるべきものであり、本発明の実施形態の実装プロセスに何らかの限定を加えるものとして解釈してはならない。
【００６８】
以上、図１から図３を参照して、本発明の実施形態による情報を伝達するための方法が詳細に説明された。以下では、図４から図９を参照して、本発明の一実施形態による基地局及びユーザ機器が詳細に説明される。
【００６９】
図４は、本発明の一実施形態による基地局４００の概略的な構成図を示す。図４に示されるように、基地局４００は、
タイミング調整量（Ｔｉｍｉｎｇ  Ａｄｊｕｓｔｍｅｎｔ，ＴＡ）の指示を決定するように構成された決定モジュール４０１と、
指示をユーザ機器に転送するように構成された転送モジュール４０２とを含む。
【００７０】
選択的に、転送モジュール４０２は、システム情報ブロック（Ｓｙｓｔｅｍ  Ｉｎｆｏｒｍａｔｉｏｎ  Ｂｌｏｃｋ，ＳＩＢ）信号を使用して指示を転送する。
【００７１】
別の実施の方法の観点からは、図７に示されるように、本発明の一実施形態は、基地局を提供する。基地局７００は、プロセッサ７１０と、メモリ７２０と、バスシステム７３０と、受信機７４０と、送信機７５０とを含む。プロセッサ７１０、メモリ７２０、受信機７４０、及び送信機７５０は、バスシステム７３０を使用して接続される。メモリ７２０は、命令を格納するように構成され、プロセッサ７１０は、メモリ７２０に格納された命令を実行して、信号、命令、又はメッセージを受信するように受信機７４０をコントロールし、信号、命令、又はメッセージを送信するように送信機７５０をコントロールするように構成される。プロセッサ７１０は、タイミング調整量の指示を決定するように構成され、送信機７５０は、プロセッサ７１０によって決定された指示をユーザ機器に転送するように構成される。
【００７２】
選択的に、送信機７５０は、システム情報ブロック（Ｓｙｓｔｅｍ  Ｉｎｆｏｒｍａｔｉｏｎ  Ｂｌｏｃｋ，ＳＩＢ）信号を使用して指示を転送する。
【００７３】
本発明のこの実施形態において、プロセッサ７１０は、中央処理ユニット（Ｃｅｎｔｒａｌ  Ｐｒｏｃｅｓｓｉｎｇ  Ｕｎｉｔ，ＣＰＵ）であってよく、又は、プロセッサ７１０は、別の汎用プロセッサ、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、利用者書込み可能ゲート配列（Ｆｉｅｌｄ  Ｐｒｏｇｒａｍｍａｂｌｅ  Ｇａｔｅ  Ａｒｒａｙ，ＦＰＧＡ）若しくは他のプログラマブルロジックデバイス、ディスクリートゲート若しくはトランジスタロジックデバイス、ディスクリートハードウェアアセンブリ等であってもよい、ということを理解されたい。汎用プロセッサは、マイクロプロセッサであってよく、又はプロセッサは、任意の慣用プロセッサ等であってもよい。
【００７４】
メモリ７２０は、読み出し専用メモリ又はランダムアクセスメモリを含んでよく、命令及びデータをプロセッサ７１０に提供する。メモリ７２０の一部分は、不揮発性のランダムアクセスメモリをさらに含んでよい。例えば、メモリ７２０は、デバイスのタイプについての情報をさらに格納してよい。
【００７５】
バスシステム７３０は、データバスに加えて、電力供給バス、制御バス、ステータス信号バス等をさらに含んでよい。しかしながら、説明を明瞭にするために、図中では、さまざまなバスがバスシステム７３０として示される。
【００７６】
実施のプロセスにおいて、上記の方法のステップは、プロセッサ７１０中のハードウェアの集積ロジック回路、又はソフトウェアの形態の命令を使用して完成されてよい。本発明の実施形態を参照して開示される方法のステップは、ハードウェアプロセッサ手段によって直接実行されて達成されてよく、又は、プロセッサ中のハードウェア及びソフトウェアモジュールの組合せを使用して実行されて達成されてもよい。ソフトウェアモジュールは、例えば、ランダムアクセスメモリ、フラッシュメモリ、読み出し専用メモリ、ＰＲＯＭ（Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、又はレジスタなど、当分野におけるありふれた記録媒体中に位置してよい。記録媒体は、メモリ７２０中に位置する。プロセッサ７１０は、メモリ７２０から情報を読み出し、プロセッサ７１０のハードウェアと組み合わせて、上記の方法のステップを完成させる。繰返しを避けるために、その詳細は、明細書中で再度説明されない。
【００７７】
本発明の実施形態による基地局４００及び基地局７００は、本発明の実施形態における情報を伝達するための方法の基地局に対応していてよく、基地局４００中のモジュールの上記の及び他の動作及び／又は機能は、それぞれ、図１から図３における方法の対応する手順を実施するために使用され、簡略化のために、その詳細は、明細書中で再度説明されない、ということを理解されたい。
【００７８】
さらに、実行されたときに上記の実施形態の方法におけるステップＳ１１０からステップＳ１２０の動作を実行するコンピュータ読み取り可能な命令を含む、コンピュータ読み取り可能な記録媒体（ｍｅｄｉａ又はｍｅｄｉｕｍ）がさらに提供される。
【００７９】
さらに、上記のコンピュータ読み取り可能な記録媒体含む、コンピュータプログラム製品がさらに提供される。
【００８０】
したがって、本発明の実施形態で提供される基地局によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００８１】
以上、図４から図７を参照して、本発明の実施形態による基地局が詳細に説明された。以下では、図５及び図８、並びに図６及び図９を参照して、本発明の一実施形態によるユーザ機器が詳細に説明される。
【００８２】
図７は、本発明の一実施形態によるユーザ機器５００の概略的な構成図を示す。図７に示されるように、ユーザ機器５００は、
ユーザ機器が信号を送信するよりも前に、信号のタイミングアドバンスＴを決定するように構成された第１決定モジュール５１０と、
少なくともＴに従ってタイミング調整量の指示Ｎを決定するように構成された第２決定モジュール５２０と、
Ｎを搬送するスケジュール割り当て信号を送信するように構成された送信モジュール５３０とを含む。
【００８３】
選択的に、第２決定モジュール５２０は、Ｔ及び式Ｎ＝ｆ（Ｔ／Ｄ）に従ってＮを決定するように特に構成され、ここで、ｆ（）は、切り上げ又は切り捨てを表し、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。ここで、Ｔ／Ｄは、ＴをＤで割ることを表す。
【００８４】
選択的に、送信モジュール５３０は、信号を送信するようにさらに構成される。
【００８５】
選択的に、第１決定モジュール５１０は、基地局の送信したタイミング調整量信号に従ってＴを決定するように特に構成される。
【００８６】
図８に示されるように、本発明の一実施形態は、ユーザ機器８００をさらに提供する。ユーザ機器８００は、プロセッサ８１０と、メモリ８２０と、バスシステム８３０と、受信機８４０と、送信機８５０とを含む。プロセッサ８１０、メモリ８２０、受信機８４０、及び送信機８５０は、バスシステム８３０を使用して接続される。メモリ８２０は、命令を格納するように構成され、プロセッサ８１０は、メモリ８２０に格納された命令を実行して、信号、命令、又はメッセージを受信するように受信機８４０をコントロールし、信号、命令、又はメッセージを送信するように送信機８５０をコントロールするように構成される。プロセッサ８１０は、送信機８５０が信号を送信するよりも前に、信号のタイミングアドバンスＴを決定し、少なくともＴに従ってタイミング調整量の指示Ｎを決定するように構成され、送信機８５０は、Ｎを搬送するスケジュール割り当て信号を送信するように構成される。
【００８７】
選択的に、プロセッサ８１０は、Ｔ及び式Ｎ＝ｆ（Ｔ／Ｄ）に従ってＮを決定するように特に構成され、ここで、ｆ（）は、切り上げ又は切り捨てを表し、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。ここで、Ｔ／Ｄは、ＴをＤで割ることを表す。
【００８８】
選択的に、送信機８５０は、信号を送信するようにさらに構成される。
【００８９】
選択的に、プロセッサ８１０は、基地局の送信したタイミング調整量信号に従ってＴを決定するように特に構成される。
【００９０】
本発明のこの実施形態において、プロセッサ８１０は、中央処理ユニット（Ｃｅｎｔｒａｌ  Ｐｒｏｃｅｓｓｉｎｇ  Ｕｎｉｔ，ＣＰＵ）であってよく、また、プロセッサ８１０は、別の汎用プロセッサ、デジタル信号プロセッサ（ＤＳＰ）、特定用途向け集積回路（ＡＳＩＣ）、利用者書込み可能ゲート配列（ＦＰＧＡ）若しくは他のプログラマブルロジックデバイス、ディスクリートゲート若しくはトランジスタロジックデバイス、ディスクリートハードウェアアセンブリ等であってもよい、ということを理解されたい。汎用プロセッサは、マイクロプロセッサであってよく、又はプロセッサは、任意の慣用プロセッサ等であってもよい。
【００９１】
メモリ８２０は、読み出し専用メモリ又はランダムアクセスメモリを含んでよく、命令及びデータをプロセッサ８１０に提供する。メモリ８２０の一部分は、不揮発性のランダムアクセスメモリをさらに含んでよい。例えば、メモリ８２０は、デバイスのタイプについての情報をさらに格納してよい。
【００９２】
バスシステム８３０は、データバスに加えて、電力供給バス、制御バス、ステータス信号バス等をさらに含んでよい。しかしながら、説明を明瞭にするために、図中では、さまざまなバスがバスシステム８３０として示される。
【００９３】
実施のプロセスにおいて、上記の方法のステップは、プロセッサ８１０中のハードウェアの集積ロジック回路、又はソフトウェアの形態の命令を使用して完成されてよい。本発明の実施形態を参照して開示される方法のステップは、ハードウェアプロセッサ手段によって直接実行されて達成されてよく、又は、プロセッサ中のハードウェア及びソフトウェアモジュールの組合せを使用して実行されて達成されてもよい。ソフトウェアモジュールは、例えば、ランダムアクセスメモリ、フラッシュメモリ、読み出し専用メモリ、ＰＲＯＭ、ＥＥＰＲＯＭ、又はレジスタなど、当分野におけるありふれた記録媒体中に位置してよい。記録媒体は、メモリ８２０中に位置する。プロセッサ８１０は、メモリ８２０から情報を読み出し、プロセッサ８１０のハードウェアと組み合わせて、上記の方法のステップを完成させる。繰返しを避けるために、その詳細は、明細書中で再度説明されない。
【００９４】
本発明の実施形態によるユーザ機器５００及びユーザ機器８００は、本発明の実施形態における情報を伝達するための方法のユーザ機器に対応していてよく、ユーザ機器５００及びユーザ機器８００中のモジュールの上記の及び他の動作及び／又は機能は、それぞれ、図１から図３における方法の対応する手順を実施するために使用され、簡略化のために、その詳細は、明細書中で再度説明されない、ということを理解されたい。
【００９５】
さらに、実行時に上記の実施形態の方法におけるステップＳ２１０からステップＳ２３０の動作を実行するコンピュータ読み取り可能な命令を含む、コンピュータ読み取り可能な記録媒体（ｍｅｄｉａ又はｍｅｄｉｕｍ）がさらに提供される。
【００９６】
さらに、上記のコンピュータ読み取り可能な記録媒体含む、コンピュータプログラム製品がさらに提供される。
【００９７】
したがって、本発明のこの実施形態で提供されるユーザ機器によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【００９８】
図６は、本発明の一実施形態による別のユーザ機器６００の概略的な構成図を示す。ユーザ機器６００は、
信号のタイミング調整量を決定するように構成された決定モジュール６１０と、
決定モジュール６１０によって決定されたタイミング調整量に従って時間ウィンドウを調整するように構成された調整モジュール６２０と、
調整モジュール６２０によって調整された時間ウィンドウを使用して信号を受信するように構成された受信モジュール６３０とを含む。
【００９９】
選択的に、タイミング調整量は、タイミング調整量の指示Ｎが決定された後に、Ｎに従って、決定モジュール６１０によって決定される。
【０１００】
選択的に、タイミング調整量は、Ｎ及び式Ｔ＝Ｎ＊Ｄに従って、決定モジュール６１０によって決定され、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。ここで、Ｎ＊Ｄは、ＮにＤを掛け合せることを指す。
【０１０１】
選択的に、タイミング調整量の指示Ｎは、受信したスケジュール割り当て信号を使用して、決定モジュール６１０によって取得される。
【０１０２】
選択的に、タイミング調整量の指示Ｎは、決定モジュール６１０が、基地局の送信したいシステム情報ブロック信号を使用してタイミング調整量の指示Ｍを取得し、タイミング調整量の指示Ｍがタイミング調整量の指示Ｎであると決定した後に、取得される。
【０１０３】
決定モジュール６１０は、
受信したスケジュール割り当て信号を使用してタイミング調整量の指示Ｎを取得し、Ｎ及び式Ｔ１＝Ｎ＊Ｄに従って第１タイミング調整量Ｔ１を決定するように構成された第１決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、第１決定ユニットと、
基地局の送信したシステム情報ブロック信号を使用してタイミング調整量の指示Ｍを取得し、Ｍ及び式Ｔ２＝Ｍ＊Ｄに従って第１タイミング調整量Ｔ２を決定するように構成された第２決定ユニットであって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、第２決定ユニットと、
（Ｔ２−Ｔ１）≦Ｔ＿ｃｐ＊αである場合、Ｔ２が信号のタイミング調整量であると決定し、（Ｔ２−Ｔ１）＞Ｔ＿ｃｐ＊αである場合、Ｔ１が信号のタイミング調整量であると決定するように構成された第３決定ユニットであって、ここで、Ｔ＿ｃｐは、システムサイクリックプレフィックスの長さであり、αの値は、０．２、０．４、０．６、０．８、又は１である、第３決定ユニットとを含む。
【０１０４】
図９に示されるように、本発明の一実施形態は、別のユーザ機器９００をさらに提供する。ユーザ機器９００は、プロセッサ９１０と、メモリ９２０と、バスシステム９３０と、受信機９４０と、送信機９５０とを含む。プロセッサ９１０、メモリ９２０、受信機９４０、及び送信機９５０は、バスシステム９３０を使用して接続される。メモリ９２０は、命令を格納するように構成され、プロセッサ９１０は、メモリ９２０に格納された命令を実行して、信号、情報伝達、又はメッセージを受信するように受信機９４０をコントロールし、信号、情報伝達、又はメッセージを送信するように送信機９５０をコントロールするように構成される。プロセッサ９１０は、信号のタイミング調整量を決定し、タイミング調整量に従って時間ウィンドウを調整するように構成され、受信機９４０は、調整された時間ウィンドウを使用して信号を受信するように構成される。
【０１０５】
選択的に、タイミング調整量は、タイミング調整量の指示Ｎが決定された後に、少なくともＮに従って、プロセッサ９１０によって決定される。
【０１０６】
選択的に、タイミング調整量は、Ｎ及び式Ｔ＝Ｎ＊Ｄに従って、プロセッサ９１０によって決定され、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す。ここで、Ｎ＊Ｄは、ＮにＤを掛け合せることを指す。
【０１０７】
選択的に、タイミング調整量の指示Ｎは、受信機９４０の受信したスケジュール割り当て信号を使用してプロセッサ９１０によって取得される。
【０１０８】
選択的に、タイミング調整量の指示Ｎは、プロセッサ９１０が基地局の送信したシステム情報ブロック信号を使用してタイミング調整量の指示Ｍを取得し、タイミング調整量の指示Ｍがタイミング調整量の指示Ｎであると決定した後に、取得される。
【０１０９】
プロセッサ９１０は、
受信機９４０の受信したスケジュール割り当て信号を使用してタイミング調整量の指示Ｎを取得し、Ｎ及び式Ｔ１＝Ｎ＊Ｄに従って第１タイミング調整量Ｔ１を決定する手順であって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、手順と、
基地局の送信したシステム情報ブロック信号を使用してタイミング調整量の指示Ｍを取得し、Ｍ及び式Ｔ２＝Ｍ＊Ｄに従って第１タイミング調整量Ｔ２を決定する手順であって、ここで、Ｄの値は、１Ｔｓ、２Ｔｓ、４Ｔｓ、８Ｔｓ、１６Ｔｓ、２４Ｔｓ、又は３２Ｔｓのうちのいずれか一つであり、１Ｔｓ＝１ｍｓ／３０７２０であり、かつｍｓはミリ秒を表す、手順と、
（Ｔ２−Ｔ１）≦Ｔ＿ｃｐ＊αである場合、Ｔ２が信号のタイミング調整量であると決定し、（Ｔ２−Ｔ１）＞Ｔ＿ｃｐ＊αである場合、Ｔ１が信号のタイミング調整量であるとが決定する手順であって、ここで、Ｔ＿ｃｐは、システムサイクリックプレフィックスの長さであり、αの値は、０．２、０．４、０．６、０．８、又は１である、手順とを実行するようにさらに構成される。
【０１１０】
本発明のこの実施形態において、プロセッサ９１０は、中央処理ユニット（Ｃｅｎｔｒａｌ  Ｐｒｏｃｅｓｓｉｎｇ  Ｕｎｉｔ，ＣＰＵ）であってよく、また、プロセッサ９１０は、別の汎用プロセッサ、デジタル信号プロセッサ（ＤＳＰ）、特定用途向け集積回路（ＡＳＩＣ）、利用者書込み可能ゲート配列（ＦＰＧＡ）若しくは他のプログラマブルロジックデバイス、ディスクリートゲート若しくはトランジスタロジックデバイス、ディスクリートハードウェアアセンブリ等であってもよい、ということを理解されたい。汎用プロセッサは、マイクロプロセッサであってよく、又はプロセッサは、任意の慣用プロセッサ等であってもよい。
【０１１１】
メモリ９２０は、読み出し専用メモリ又はランダムアクセスメモリを含んでよく、命令及びデータをプロセッサ９１０に提供する。メモリ９２０の一部分は、不揮発性のランダムアクセスメモリをさらに含んでよい。例えば、メモリ９２０は、デバイスのタイプについての情報をさらに格納してよい。
【０１１２】
バスシステム９３０は、データバスに加えて、電力供給バス、制御バス、ステータス信号バス等をさらに含んでよい。しかしながら、説明を明瞭にするために、図中では、さまざまなバスがバスシステム９３０として示される。
【０１１３】
実施のプロセスにおいて、上記の方法のステップは、プロセッサ８１０中のハードウェアの集積ロジック回路、又はソフトウェアの形態の命令を使用して完成されてよい。本発明の実施形態を参照して開示される方法のステップは、ハードウェアプロセッサ手段によって直接実行されて達成されてよく、又は、プロセッサ中のハードウェア及びソフトウェアモジュールの組合せを使用して実行されて達成されてもよい。ソフトウェアモジュールは、例えば、ランダムアクセスメモリ、フラッシュメモリ、読み出し専用メモリ、ＰＲＯＭ、ＥＥＰＲＯＭ、又はレジスタなど、当分野におけるありふれた記録媒体中に位置してよい。記録媒体は、メモリ９２０中に位置する。プロセッサ９１０は、メモリ９２０から情報を読み出し、プロセッサ９１０のハードウェアと組み合わせて、上記の方法のステップを完成させる。繰返しを避けるために、その詳細は、明細書中で再度説明されない。
【０１１４】
本発明の実施形態によるユーザ機器６００及びユーザ機器９００は、本発明の実施形態における情報を伝達するための方法のユーザ機器に対応していてよく、ユーザ機器６００及びユーザ機器９００中のモジュールの上記の及び他の動作及び／又は機能は、それぞれ、図１から図３における方法の対応する手順を実施するために使用され、簡略化のために、その詳細は、明細書中で再度説明されない、ということを理解されたい。
【０１１５】
さらに、実行時に上記の実施形態の方法におけるステップＳ３１０からステップＳ３３０の動作を実行するコンピュータ読み取り可能な命令を含む、コンピュータ読み取り可能な記録媒体（ｍｅｄｉａ又はｍｅｄｉｕｍ）がさらに提供される。
【０１１６】
さらに、上記のコンピュータ読み取り可能な記録媒体含む、コンピュータプログラム製品がさらに提供される。
【０１１７】
したがって、本発明のこの実施形態で提供されるユーザ機器によれば、ユーザ機器の送信したタイミングアドバンスを搬送するスケジュール割り当て（Ｓｃｈｅｄｕｌｉｎｇ  Ａｓｓｉｇｎｍｅｎｔ，ＳＡ）信号は、より有用な情報を持つことができ、それによって、不必要な資源浪費が回避される。
【０１１８】
明細書中に記載の情報は、これらに限定されないが、指示、信号、情報伝達、メッセージ等を含み、明細書中の記載に限定されない、ということに留意されたい。
【０１１９】
明細書中の語「及び／又は（ａｎｄ／ｏｒ）」は、関連する対象を記載するためのその関係だけを記載したものであり、３つの関係性が存在し得ることを表す。例えば、Ａ及び／又はＢは、次の３つの場合、すなわち、Ａだけが存在する場合、ＡとＢとの両方が存在する場合、及びＢだけが存在する場合を表す。さらに、明細書中の記号「／」は、通常は、関連する対象間の「又は（ｏｒ）」の関係を指す。
【０１２０】
上記のプロセスに付された順序番号は、本発明のさまざまな実施形態における実行順序を意味しない、ということを理解されたい。プロセスの実行順序は、プロセスの機能及び内部ロジックに従って決定されるべきものであり、本発明の実施形態の実装プロセスに何らかの限定を加えるものとして解釈してはならない。
【０１２１】
この明細書で開示された実施形態で説明される実施例との組合せにより、ユニット及びアルゴリズムのステップは、電子ハードウェアによって、又はコンピュータソフトウェアと電子ハードウェアとの組合せによって実施されてよい、ということを当技術分野における通常の知識を有する者は認識するであろう。機能がハードウェアとソフトウェアとのいずれによって実行されるかは、技術的解決策の特定の用途及び設計上の制約条件に依存する。当業者は、特定の用途毎に説明した機能を実施するために異なる方法を使用してよいが、そのような実施が本発明の範囲を逸脱するものとみなされてはならない。
【０１２２】
上記のシステム、装置、及びユニットの詳細な動作プロセスについての簡便な説明のために、上記の方法の実施形態における対応するプロセスへの参照がなされてよく、その詳細は明細書中で説明されない、ということが当業者には明らかであろう。
【０１２３】
本明細書で提供されるいくつかの実施形態において、開示されるシステム、装置、及び方法は、別の手法で実施されてもよい、ということを理解されたい。例えば、記載した装置の実施形態は、例示に過ぎない。例えば、ユニットの区分は、論理的な機能区分に過ぎず、実際の実装では他の区分がなされてよい。例えば、複数のユニット又はコンポーネントは、別のシステムに組み合わされるか又は統合されてよく、又は、いくつかの特徴は、無視されるか、又は実行されなくともよい。さらに、示されるか又は説明された相互結合又は直接的結合又は通信接続は、いくつかのインタフェースを介して実装されてよい。装置又はユニット間の非直接的結合又は通信接続は、電子的、機械的、又は他の形態で実装されてよい。
【０１２４】
別々の部分として説明されたユニットは、物理的に分離していてもいなくてもよく、ユニットとして説明された部分は、物理的なユニットであってもなくてもよく、１つの場所に位置してよく、又は複数のネットワークユニットに分散配置されてもよい。いくつかの又はすべてのユニットは、実施形態の解決策の目的を達成するための実際の必要性に従って選択されてよい。
【０１２５】
さらに、本発明の実施形態の機能的ユニットは、１つの処理ユニットに統合されてよく、又は複数のユニットの各々が物理的に独立して存在してもよく、又は２つ以上のユニットが１つのユニットに統合されてもよい。
【０１２６】
機能がソフトウェア機能ユニットの形態で実装されるとともに、独立した製品として販売され、使用されるとき、その機能は、コンピュータ読み取り可能な記録媒体に格納されていてよい。そのような理解に基づいて、本発明の技術的解決策は、本質的に、又は従来技術に貢献する部分又は技術的解決策のいくつかは、ソフトウェア製品の形態で実装されてよい。ソフトウェア製品は、記録媒体に格納され、本発明の実施形態として説明された方法のすべての又はいくつかのステップを実行するように（パーソナルコンピュータ、サーバ、又はネットワークデバイスであってよい）コンピュータデバイスに命令するいくつかの命令を含む。上記の記録媒体は、例えば、ＵＳＢフラッシュドライブ、リムーバブルハードディスク、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光学ディスクなど、プログラムコードを格納可能な任意の媒体を含む。
【０１２７】
以上の説明は、本発明の実施の方法を特定するためのものに過ぎず、本発明の保護範囲を限定することを意図しない。本発明の開示する技術的範囲内において、当業者によって容易になされる任意の変形例又は置換例は、本発明の保護範囲内にある。したがって、本発明の保護範囲は、特許請求の範囲の保護範囲に従わねばならない。
【符号の説明】
【０１２８】
４００  基地局
４１０  決定モジュール
４２０  転送モジュール
５００  ユーザ機器
５１０  第１決定モジュール
５２０  第２決定モジュール
５３０  送信モジュール
６００  ユーザ機器
６１０  決定モジュール
６２０  調整モジュール
６３０  受信モジュール
７００  基地局
７１０  プロセッサ
７２０  メモリ
７３０  バスシステム
７４０  受信機
７５０  送信機
８００，９００  ユーザ機器
８１０，９１０  プロセッサ
８２０，９２０  メモリ
８３０，９３０  バスシステム
８４０，９４０  受信機
８５０，９５０  送信機
【図１】
0006579624.tif 000002
【図２】
0006579624.tif 000003
【図３】
0006579624.tif 000004
【図４】
0006579624.tif 000005
【図５】
0006579624.tif 000006
【図６】
0006579624.tif 000007
【図７】
0006579624.tif 000008
【図８】
0006579624.tif 000009
【図９】
0006579624.tif 000010